(57)【要約】【課題】  簡易な構成で、二次巻線側電圧に基づいてより正確で高速に入力過電圧を判断する。【解決手段】  トランス１３の二次巻線１３Ｂに二次巻線側電圧が誘起されると、ブランキング回路１８Ａの微分回路は、二次巻線側電圧を微分し、この微分した後の電圧である微分電圧を出力する。微分回路から出力される微分電圧が時間の経過とともに減少し、コンデンサ１８ＡＣの一端部ａと他端部ｂとの電位差が所定の値（例えば、０．５Ｖ〜０．７Ｖ）以上になると、トランジスタ１８ＡＴにベース電流が流れ、コレクタ電流が流れる。これにより、コンパレータ１８Ｃには、二次巻線側電圧の電圧値が入力されることとなり、リンギングの影響を受けるパルスの立ち上がり領域を除いた領域に基づいて、二次巻線側電圧の電圧値を検出することができる。【選択図】  図１
2005073430.tif 000002
【特許請求の範囲】
【請求項１】
入力電圧を供給する直流電源に接続されたスイッチング素子およびトランスの一次巻線と、
前記トランスの二次巻線に誘起された二次巻線側電圧を整流する整流回路と、
前記整流回路から出力された前記二次巻線側電圧の電圧値に基づいて、入力過電圧であるか否かを判定する過電圧判定回路と、
前記過電圧判定回路により入力過電圧であると判定された場合に、前記スイッチング素子のスイッチング動作を停止させる制御回路とを備え、
前記過電圧判定回路は、前記二次巻線側電圧に対応するパルスの立ち上がり領域を除いた領域から、前記二次巻線側電圧の電圧値を検出し、当該検出した電圧値に基づいて、入力過電圧であるか否かを判定することを特徴とするスイッチング電源装置。
【請求項２】
前記過電圧判定回路は、
前記整流回路から出力された前記二次巻線側電圧を微分する微分回路と、
制御端子、第一の端子および第二の端子を有する電圧検出用スイッチング素子と、
前記電圧検出用スイッチング素子から出力される電圧と所定の基準電圧とを比較して、入力過電圧であるか否かを判定する判定器とを含んで構成され、
前記第一の端子は、前記整流回路の出力側に接続され、
前記第二の端子は、前記判定器の入力側に接続され、
前記制御端子は、前記微分回路から出力された電圧に基づいて前記第一の端子と前記第二の端子との間のスイッチング制御を行うことを特徴とする請求項１記載のスイッチング電源装置。
【請求項３】
前記微分回路は、コンデンサと抵抗とを含んで構成され、
前記第一の端子は、前記コンデンサの一端に接続され、前記制御端子は、前記コンデンサの他端および前記抵抗の一端に接続されることを特徴とする請求項２記載のスイッチング電源装置。
【請求項４】
前記過電圧判定回路は、
前記整流回路から出力された前記二次巻線側電圧の電圧値をサンプルホールドにより周期的に検出するサンプルホールド回路と、
前記サンプルホールド回路により検出された電圧と所定の基準電圧とを比較して、入力過電圧であるか否かを判定する判定器と、
を含んで構成されることを特徴とする請求項１記載のスイッチング電源装置。
【請求項５】
前記パルスの立ち上がり領域は、リンギングが発生する領域であることを特徴とする請求項１〜４のいずれか１項に記載のスイッチング電源装置。
【発明の詳細な説明】
【技術分野】
【０００１】
本発明は、スイッチング電源装置に関し、特にハイブリッドカーや電気自動車等に用いられる自動車用電源に関する。
【背景技術】
【０００２】
絶縁型のＤＣ−ＤＣコンバータ等のスイッチング電源において、トランスの一次巻線側にあるスイッチング素子を入力過電圧から保護するために、フォトカプラ等を用いた複雑な入力過電圧検出回路を必要としない簡易な構成で、トランスの二次巻線側に誘起される二次巻線側電圧を検出し、この検出された二次巻線側電圧に基づいて入力過電圧を判断するものがある（下記特許文献１参照）。
【特許文献１】特開２００３−３３０１５号公報
【発明の開示】
【発明が解決しようとする課題】
【０００３】
しかしながら、二次巻線側電圧には、パルスの立ち上がり時にリンギングが発生してしまう。したがって、二次巻線側電圧に基づいて入力過電圧の判断を行う場合（例えば、特許文献１）には、実際には入力過電圧に該当しない場合であっても、二次巻線側電圧に発生したリンギングの影響により過電圧であると誤って判断してしまうおそれがある。
【０００４】
ところで、この問題を解決するために、ローパスフィルタを用いて二次巻線側電圧からリンギングを除去することが考えられる。しかしながら、ローパスフィルタを通すことで、二次巻線側電圧を検出する時間が増加してしまう。したがって、ローパスフィルタを用いて二次巻線側電圧を検出する場合には、検出した電圧が入力過電圧であると判断した時には、既に入力電圧がスイッチング素子の耐圧を越えてしまい、スイッチング電源が故障してしまうことも考えられる。
【０００５】
そこで、本発明は、上述した課題を解決するために、フォトカプラ等を用いた複雑な入力過電圧検出回路を必要としない簡易な構成で、かつ、二次巻線側電圧に基づいてより正確で高速に入力過電圧を判断することができるスイッチング電源を提供することを目的とする。
【課題を解決するための手段】
【０００６】
本発明のスイッチング電源装置は、入力電圧を供給する直流電源に接続されたスイッチング素子およびトランスの一次巻線と、トランスの二次巻線に誘起された二次巻線側電圧を整流する整流回路と、整流回路から出力された二次巻線側電圧の電圧値に基づいて、入力過電圧であるか否かを判定する過電圧判定回路と、過電圧判定回路により入力過電圧であると判定された場合に、スイッチング素子のスイッチング動作を停止させる制御回路とを備え、過電圧判定回路は、二次巻線側電圧に対応するパルスの立ち上がり領域を除いた領域から、二次巻線側電圧の電圧値を検出し、当該検出した電圧値に基づいて、入力過電圧であるか否かを判定することを特徴とする。
【０００７】
この発明によれば、スイッチング電源装置は、過電圧判定回路により、二次巻線側電圧に対応するパルスの立ち上がり領域を除いた領域から、二次巻線側電圧の電圧値が検出され、この検出された二次巻線側電圧の電圧値に基づいて、入力過電圧であるか否かが判定されるため、ローパスフィルタを用いることなく、二次巻線側電圧に対応するパルスの立ち上がり時に発生するリンギングの影響を受けずに入力過電圧であるか否かを判断することができる。
【０００８】
本発明のスイッチング電源装置において、過電圧判定回路は、整流回路から出力された二次巻線側電圧を微分する微分回路と、制御端子、第一の端子および第二の端子を有する電圧検出用スイッチング素子と、電圧検出用スイッチング素子から出力される電圧と所定の基準電圧とを比較して、入力過電圧であるか否かを判定する判定器とを含んで構成され、第一の端子は、整流回路の出力側に接続され、第二の端子は、判定器の入力側に接続され、制御端子は、微分回路から出力された電圧に基づいて第一の端子と第二の端子との間のスイッチング制御を行うことが好ましい。
【０００９】
このようにすれば、スイッチング電源装置は、二次巻線側電圧を微分することができ、この微分された後の電圧に基づいて電圧検出用スイッチング素子のスイッチング動作を制御することができる。したがって、例えば、微分された後の電圧（制御端子側の電圧）が、二次巻線側電圧（第一の端子側の電圧）に対して所定の電圧（例えば、０．５〜０．７[Ｖ]）だけ低下するまでは、電圧検出用スイッチング素子をＯＦＦ状態に維持することができるため、二次巻線側電圧に対応するパルスの立ち上がり時に発生するリンギングの影響を受けずに入力過電圧であるか否かを判断することができる。
【００１０】
本発明のスイッチング電源装置において、微分回路は、コンデンサと抵抗とを含んで構成され、第一の端子は、コンデンサの一端に接続され、制御端子は、コンデンサの他端および抵抗の一端に接続されることが好ましい。
【００１１】
このようにすれば、例えば、コンデンサの上記他端および抵抗の一端に生じる電圧（制御端子側の電圧）が、コンデンサの上記一端（第一の端子側の電圧）に生じる電圧に対して所定の電圧（例えば、０．５〜０．７[Ｖ]）だけ低下するまでは、電圧検出用スイッチング素子をＯＦＦ状態に維持することができるため、スイッチング電源装置は、二次巻線側電圧に対応するパルスの立ち上がり時に発生するリンギングの影響を受けずに入力過電圧であるか否かを判断することができる。
【００１２】
本発明のスイッチング電源装置において、過電圧判定回路は、整流回路から出力された二次巻線側電圧の電圧値をサンプルホールドにより周期的に検出するサンプルホールド回路と、サンプルホールド回路により検出された電圧と所定の基準電圧とを比較して、入力過電圧であるか否かを判定する判定器とを含んで構成させることが好ましい。
【００１３】
このようにすれば、スイッチング電源装置は、サンプルホールド回路により二次巻線側電圧に対応するパルスの立ち上がり時を除いた領域から電圧値を検出することができるため、二次巻線側電圧に対応するパルスの立ち上がり時に発生するリンギングの影響を受けずに入力過電圧であるか否かを判断することができる。
【００１４】
本発明のスイッチング電源装置において、上記パルスの立ち上がり領域は、リンギングが発生する領域であることが好ましい。このようにすれば、スイッチング電源装置は、二次巻線側電圧に対応するパルスの立ち上がり時に発生するリンギングの影響を全く受けずに入力過電圧であるか否かを判断することができる。
【発明の効果】
【００１５】
本発明に係るスイッチング電源装置によれば、フォトカプラ等を用いた複雑な入力過電圧検出回路を必要としない簡易な構成で、かつ、二次巻線側電圧に基づいてより正確で高速に入力過電圧を判断することができる。
【発明を実施するための最良の形態】
【００１６】
以下、本発明に係るスイッチング電源装置の各実施形態を図面に基づき説明する。なお、各図において、同一要素には同一符号を付して重複する説明を省略する。
【００１７】
[第１実施形態]
まず、本発明の第１実施形態について説明する。図１は、第１実施形態におけるスイッチング電源装置１の電気回路構成を例示する図である。本実施形態におけるスイッチング電源装置１は、フォワード型のＤＣ−ＤＣコンバータであり、図１に示すように、スイッチング電源装置１は、入力側平滑コンデンサ１１と、入力側スイッチング素子１２と、トランス１３と、整流ダイオード（整流回路）１４と、転流ダイオード（整流回路）１５と、チョークコイル１６と、出力側平滑コンデンサ１７と、過電圧判定回路１８と、コントローラ（制御回路）１９と、トランス１Ａとを有する。なお、直流電源１０は、スイッチング電源装置１に入力電圧Ｖｉを供給する。
【００１８】
入力側スイッチング素子１２は、スイッチング機能を有する素子であり、例えば、電界効果トランジスタ（ＦＥＴ）等のトランジスタが該当する。入力側スイッチング素子１２のゲートには、コントローラ１９から出力される駆動信号が入力される。入力側スイッチング素子１２は、駆動信号のレベルに基づいてＯＮ状態とＯＦＦ状態とを交互に繰り返す。
【００１９】
トランス１３は、一次巻線１３Ａおよび二次巻線１３Ｂを有する。なお、本実施形態においては、トランス１３の一次巻線１３Ａの極性と二次巻線１３Ｂの極性は正極性である。また、トランス１３の一次巻線１３Ａと入力側スイッチング素子１２からなる直列回路は、直流電源１０の両端間に接続される。
【００２０】
チョークコイル１６および出力側平滑コンデンサ１７により平滑回路が構成され、出力側平滑コンデンサ１７の両端間には、出力電圧Ｖｏが生じる。
【００２１】
整流ダイオード１４および転流ダイオード１５は、トランス１３の二次巻線１３Ｂに誘起された二次巻線側電圧を整流する。
【００２２】
過電圧判定回路１８は、整流ダイオード１４および転流ダイオード１５から出力された二次巻線側電圧の電圧値に基づいて、入力過電圧であるか否かを判定する回路である。過電圧判定回路１８は、ブランキング回路１８Ａ、電圧検出用コンデンサ（平滑回路）１８Ｂおよびコンパレータ（判定器）１８Ｃを有する。
【００２３】
ブランキング回路１８Ａは、コンデンサ１８ＡＣおよび抵抗１８ＡＲからなる微分回路と、トランジスタ（電圧検出用スイッチング素子）１８ＡＴとを有する。微分回路は、整流ダイオード１４および転流ダイオード１５から出力される二次巻線側電圧を微分する。トランジスタ１８ＡＴは、ベース端子（制御端子）、エミッタ端子（第一の端子）およびコレクタ端子（第二の端子）を有するバイポーラ形トランジスタである。エミッタ端子は、整流ダイオード１４および転流ダイオード１５の出力側に接続されるとともに、図１に示すａ点においてコンデンサ１８ＡＣの一端部に接続される。ベース端子は、図１に示すｂ点においてコンデンサ１８ＡＣの他端部および抵抗１８ＡＲの一端部に接続される。ベース端子は、微分回路から出力された電圧に基づいてエミッタ端子とコレクタ端子との間のスイッチング制御を行う。コレクタ端子は、コンパレータ１８Ｃの入力側に接続されるとともに、図１に示すｅ点において電圧検出用コンデンサ１８の一端部に接続される。
【００２４】
コンパレータ１８Ｃは、電圧検出用コンデンサ１８Ｂの電圧と所定の基準電圧とを比較し、入力過電圧であるか否かを判定する。具体的に説明すると、コンパレータ１８Ｃは、電圧検出用コンデンサ１８Ｂの電圧が、所定の基準電圧以上である場合には、入力過電圧であると判定し、一方、電圧検出用コンデンサ１８Ｂの電圧が、所定の基準電圧未満である場合には、入力過電圧ではないと判定する。なお、基準電圧は、入力側スイッチング素子１２の耐圧に基づいて設定される。
【００２５】
コントローラ１９は、出力電圧Ｖｏの目標値である目標電圧と出力電圧Ｖｏとに基づいて、入力側スイッチング素子１２のオン期間を制御するための駆動信号を生成して出力する。コントローラ１９は、過電圧判定回路１８により入力過電圧であると判定された場合には、入力側スイッチング素子１２のスイッチング動作を停止させる信号を生成して出力する。
【００２６】
次に、図２に示す波形図を参照して、二次巻線側電圧の電圧値を、リンギングの影響を受けずに検出する原理について説明する。
【００２７】
図２（ａ）は、トランス１３の一次巻線１３Ａに入力される電圧のパルス波形を示す図である。図２（ｂ）は、トランス１３の一次巻線１３Ａに入力される電流のパルス波形を示す図である。図２（ｃ）は、トランス１３の二次巻線１３Ｂから出力される電圧のパルス波形を示す図である。図２（ｃ）に示すように、出力電圧に対応するパルスの立ち上がり領域にはリンギングが発生している。図２（ｄ）は、微分回路を構成するコンデンサ１８ＡＣと抵抗１８ＡＲとの接続部ｂにおける電圧のパルス波形を示す図である。なお、図２に示す波形図の横軸は時間[ｔ]を示し、図２（ｂ）以外の縦軸は電圧[Ｖ]を示し、図２（ｂ）の縦軸は電流[Ｉ]を示す。
【００２８】
まず、時間ｔ１において、トランス１３の二次巻線１３Ｂに二次巻線側電圧が誘起されると（図２（ｃ））、ブランキング回路１８Ａの微分回路は、二次巻線側電圧を微分し、この微分した後の電圧である微分電圧を出力する（図２（ｄ））。この微分電圧は、{Ｅ＊ｅ−（ｔ／ＣＲ）}（Ｅ:巻線整流電圧）で表され、時間の経過とともに指数関数的に減少する。
【００２９】
次に、ブランキング回路１８Ａの微分回路から出力される微分電圧が時間の経過とともに減少し（図２（ｄ））、時間ｔ２において、コンデンサ１８ＡＣの一端部ａと他端部ｂとの電位差が所定の値（例えば、０．５Ｖ〜０．７Ｖ）以上になると、トランジスタ１８ＡＴにベース電流が流れ、コレクタ電流が流れる。つまり、トランジスタ１８ＡＴがＯＦＦ状態からＯＮ状態に切り替わる。これにより、コンパレータ１８Ｃには、二次巻線側電圧の電圧値が入力されることになる。ここで、図２（ｃ）に示されるように、時間ｔ２においては、既に、二次巻線側電圧に発生していたリンギングが収束している。したがって、図３に示すように、過電圧判定回路１８は、リンギングの影響を受けるパルスの立ち上がり領域Ｐ１を除いた領域Ｐ２に基づいて、二次巻線側電圧の電圧値を検出することができる。すなわち、過電圧判定回路１８は、二次巻線側電圧の電圧値を、リンギングの影響を受けることなく検出することができる。
【００３０】
以上のように、第１実施形態におけるスイッチング電源装置１においては、過電圧判定回路１８により、二次巻線側電圧に対応するパルスの立ち上がり領域Ｐ１を除いた領域Ｐ２から、二次巻線側電圧の電圧値が検出され、この検出された二次巻線側電圧の電圧値に基づいて、入力過電圧であるか否かが判定されるため、ローパスフィルタを用いることなく、二次巻線側電圧に対応するパルスの立ち上がり時に発生するリンギングの影響を受けずに入力過電圧であるか否かを判断することができる。すなわち、ローパスフィルタを用いて入力過電圧を判断する場合に比して、より正確で高速に入力過電圧を判断することができる。
【００３１】
[第２実施形態]
次に、本発明の第２実施形態について説明する。まず、本実施形態におけるスイッチング電源装置はフライバック型のＤＣ−ＤＣコンバータである点で、フォワード型のＤＣ−ＤＣコンバータである第１実施形態とは異なる。図４を参照して第２実施形態におけるスイッチング電源装置の電気回路構成を説明する。
【００３２】
図４に示すように、第２実施形態におけるスイッチング電源装置２は、トランス１３の二次巻線が、第１の巻線１３Ｃと第２の巻線１３Ｄとを備える点で、第１実施形態におけるスイッチング電源装置１の構成と異なる。なお、トランス１３の一次巻線１３Ａの極性と第１の巻線１３Ｃの極性は逆極性であり、トランス１３の一次巻線１３Ａの極性と第２の巻線１３Ｄの極性は正極性である。
【００３３】
また、第１の巻線１３Ｃには、整流ダイオード１４および出力側平滑コンデンサ１７が接続されている。第２の巻線１３Ｃには、整流ダイオード１４Ｓおよび過電圧判定回路１８が接続されている。
【００３４】
第２実施形態におけるスイッチング電源装置２では、二次巻線側電圧の電圧値として、トランス１３の二次巻線のうち第２の巻線１３Ｄに誘起される電圧の電圧値を用いる点に特徴がある。なお、第２の巻線１３Ｄに誘起される電圧の電圧値を、リンギングの影響を受けずに検出する原理については、第１実施形態と同様であるため、説明を省略する。
【００３５】
このような第２実施形態におけるスイッチング電源装置２においては、第１実施形態におけるスイッチング電源装置１と同様に、ブランキング回路１８Ａの微分回路により二次巻線側電圧が微分され、この微分された後の電圧（ベース端子側の電圧）が二次巻線側電圧（エミッタ端子側の電圧）に対して所定の電圧（例えば、０．５〜０．７[Ｖ]）だけ低下するまでは、トランジスタ１８ＡＴがＯＦＦ状態を維持するため、二次巻線側電圧に対応するパルスの立ち上がり時に発生するリンギングの影響を受けずに入力過電圧であるか否かを判断することができる。
【００３６】
[変形例]
なお、本願発明は、二次巻線側電圧の検出を制御するスイッチを有し、二次巻線側電圧に生じるリンギングが収束した後に、当該スイッチをＯＮ状態にして二次巻線側電圧を検出することができればよい。したがって、上述した各実施例に限定されるものではない。例えば、以下に記載する変形実施が可能である。
【００３７】
上述した各実施形態におけるブランキング回路１８Ａの回路構成は、図１および図４に示す回路構成に限られない。例えば、図５に示す回路構成であってもよい。なお、図５に示すｃ，ｄ，ｅ，ｆの各点は、図１および図４に示すｃ，ｄ，ｅ，ｆの各点に対応している。
【００３８】
また、上述した各実施形態における過電圧判定回路１８の回路構成は、図１および図４に示す回路構成に限られない。例えば、図６に示すように、整流ダイオード１４，１４Ｓにより出力された二次巻線側電圧の電圧値をサンプルホールドにより周期的に検出するサンプルホールド回路ＳＨ、およびコンパレータ１８Ｃにより構成されていてもよい。なお、図６に示すｃ，ｄの各点は、図１および図４に示すｃ，ｄの各点に対応している。ここで、サンプルホールド回路ＳＨとは、あるタイミングでサンプル電圧を取り込んで、次の周期まで当該サンプル電圧をホールドする回路をいう。サンプルホールド回路ＳＨは、例えば、ＤＳＰ（Digital Signal Processor）等のマイクロプロセッサおよびスイッチング素子により構成される。このように構成されたサンプルホールド回路ＳＨでは、ＤＳＰが、スイッチング素子のスイッチング動作を制御する。したがって、このサンプルホールド回路ＳＨを用いて、サンプル電圧の取り込みのタイミングを、二次巻線側電圧のパルスの立ち上がり時を除いた領域（リンギングが収束した後）に設定し、周期的にサンプル電圧を取り込むようにすればよい。このように構成することによって、サンプルホールド回路ＳＨにより二次巻線側電圧に対応するパルスの立ち上がり時を除いた領域から電圧値が検出されるため、二次巻線側電圧に対応するパルスの立ち上がり時に発生するリンギングの影響を受けずに入力過電圧であるか否かを判断することができる。
【００３９】
また、上述した各実施形態におけるブランキング回路１８Ａのトランジスタ１８ＡＴは、バイポーラ形トランジスタを採用しているが、電界効果トランジスタ（ＦＥＴ）であってもよい。
【００４０】
また、上述した各実施形態における二次巻線側の回路構成は、主電源装置および補助電源装置のいずれにも適用可能である。さらに、二次巻線側の回路構成を、補助電源装置に適用した場合には、過電圧判定回路１８から出力される信号を、主電源装置のコントローラに送信してもよい。これにより、主電源装置および補助電源装置の両方に過電圧判定回路１８を備える必要がなくなり、回路構成を簡略化することができる。
【図面の簡単な説明】
【００４１】
【図１】第１実施形態におけるスイッチング電源装置の電気回路構成を示す図である。
【図２】二次巻線側電圧の電圧値を検出する原理を説明するための波形図である。
【図３】二次巻線側電圧のパルス波形を示す図である。
【図４】第２実施形態におけるスイッチング電源装置の電気回路構成を示す図である。
【図５】ブランキング回路の変形例を示す図である。
【図６】過電圧判定回路の変形例を示す図である。
【符号の説明】
【００４２】
１，２・・・スイッチング電源装置、１０・・・直流電源、１１・・・入力側平滑コンデンサ、１２・・・入力側スイッチング素子、１３，１Ａ・・・トランス、１３Ａ・・・一次巻線、１３Ｂ・・・二次巻線、１４，１４Ｓ・・・整流ダイオード、１５・・・転流ダイオード、１６・・・チョークコイル、１７・・・出力側平滑コンデンサ、１８・・・過電圧判定回路、１８Ａ・・・ブランキング回路、１８ＡＣ・・・コンデンサ、１８ＡＲ・・・抵抗、１８ＡＴ・・・トランジスタ、１８Ｂ・・・電圧検出用コンデンサ、１８Ｃ・・・コンパレータ、１９・・・コントローラ、ＳＨ・・・サンプルホールド回路。
【図１】
2005073430.tif 000003
【図２】
2005073430.tif 000004
【図３】
2005073430.tif 000005
【図４】
2005073430.tif 000006
【図５】
2005073430.tif 000007
【図６】
2005073430.tif 000008